(57)【要約】【課題】  デジタルＸ線撮影システムにおいて、全画像を転送してから縮小画像を作成し表示すると時間が掛かるという問題があるので、表示用画像を先行して送信する。先行して転送した画像を表示している間に、全画像をバックグラウンドで転送し、ユーザがＸ線撮影装置を操作することが可能なＸ線撮影システムを提供する。【解決手段】  撮像した第１のＸ線撮影画像と、該第１のＸ線撮影画像から演算した第２のＸ線撮影画像とを記憶する手段と、第２のＸ線撮影画像を第１のＸ線撮影画像に先行して転送する転送手段と、該第２のＸ線撮影画像を画像処理し表示する手段とを具備し、該第１のＸ線画像をバックグラウンドで転送することを示す進行状態表示手段と、次の操作を受け付ける操作予約手段とを更に備える。【選択図】  図６
2005198801.tif 000002
【特許請求の範囲】
【請求項１】
Ｘ線に感度がある固体撮像装置を備えたＸ線画像撮影装置であって、
撮像した第１のＸ線撮影画像と、該第１のＸ線撮影画像から演算した第２のＸ線撮影画像とを記憶する手段と、
第２のＸ線撮影画像を第１のＸ線撮影画像に先行して転送する転送手段と、該第２のＸ線撮影画像の表示手段を具備し、
第１のＸ線撮影画像を転送しているときにバックグラウンドで転送していることを示す進行状態表示手段と、次の操作を受け付ける操作予約手段とを備えることを特徴とするデジタルＸ線画像撮影システム。
【請求項２】
前記第１のＸ線撮影画像転送中に、次操作を受け付ける手段で操作禁止状態を検知する手段を備え、
該禁止状態を検知した時に進行状態を拡大表示し、操作を禁止することを特徴とする請求項１に記載のデジタルＸ線画像撮影システム。
【請求項３】
前記第１のＸ線撮影画像転送中の基準時間を記憶する記憶手段を備え、該転送時間を元に次回の転送予測時間を決定することを特徴とする請求項１に記載のデジタルＸ線画像撮影システム。
【請求項４】
Ｘ線に感度がある固体撮像装置を備えたＸ線画像撮影装置の制御方法であって、
撮像した第１のＸ線撮影画像と、該第１のＸ線撮影画像から演算した第２のＸ線撮影画像とを記憶する工程と、
第２のＸ線撮影画像を第１のＸ線撮影画像に先行して転送する工程と、該第２のＸ線撮影画像の表示工程を備え、
第１のＸ線撮影画像を転送中にバックグラウンドで転送していることを表示する工程と、次の操作を予約する工程とを更に備えることを特徴とするデジタルＸ線画像撮影制御方法。
【請求項５】
前記第１のＸ線撮影画像転送中に、次操作を受け付ける手段で操作禁止状態を検知する手段を備え、
該禁止状態を検知した時に進行状態を拡大表示し、操作を禁止することを特徴とする請求項４に記載のデジタルＸ線画像撮影制御方法。
【請求項６】
コンピュータによってＸ線撮影制御するプログラムであって、
操作者に撮像させた第１のＸ線撮影画像と、該第１のＸ線撮影画像から演算した第２のＸ線撮影画像において、第２のＸ線撮影画像を第１のＸ線撮影画像に先行して転送させる手順を備え、
第１のＸ線撮影画像を転送中にバックグラウンドで転送していることを表示する手順と、次の操作を予約する手順とを更にコンピュータに実行させることを特徴とするＸ線画像撮影制御プログラム。
【請求項７】
前記第１のＸ線撮影画像転送中に、次操作を受け付ける手段で操作禁止状態を検知する手順と、
該禁止状態を検知した時に進行状態を拡大表示させる手順と、操作を禁止させる手順とを備え、コンピュータに実行させることを特徴とする請求項６に記載のデジタルＸ線画像撮影制御プログラム。
【発明の詳細な説明】
【技術分野】
【０００１】
本発明は、固体撮像装置を用いたデジタルＸ線撮影システムに関するものであり、さらに詳細には画像転送中における撮影装置を効率的に制御する方法に関するものである。
【背景技術】
【０００２】
医療診断を目的とするＸ線撮影には、増感紙とＸ線写真フィルムを組み合わせたフィルムスクリーンシステムがよく行われている。この方法によれば、被験者を通過したＸ線は、被験者の内部情報を含み、それが増感紙によってＸ線の強度に比例した可視光に変換され、Ｘ線写真フィルムを感光させ、Ｘ線画像をフィルム上に形成する。
【０００３】
最近では、Ｘ線を蛍光体によってＸ線の強度に比例した可視光に変換し、それを光電変換素子で電気信号に変換し、Ａ／Ｄ変換機でデジタル変換するＸ線デジタル撮影装置が使用されはじめている。この光電変換素子としては、アモルファスシリコンを用いたものがあり、従来から使用されているイメージインテンシファイアを用いたＸ線デジタル撮影装置に比較して、Ｘ線センサユニットを大画面かつ薄く、軽量に形成することが可能で、従来のフィルムスクリーンシステムで用いられているような撮影法が可能になる。
【０００４】
撮像素子を用いたデジタルＸ線撮影装置においては、表示および画像解析には、撮影画像のすべてを使用することは冗長である。一般に前記撮影画像から縮小した画像を使用して画像処理パラメータを決定することや、画面上に画像を表示する場合には縮小画像を用いる。
【０００５】
ここで、Ｘ線センサ画素すべてで構成される全画像から、縮小画像を演算により作成する場合、画像転送に時間がかかるので、高速のＩ／Ｆが必要となり、製品コストが増大していた。
【０００６】
そこで、Ｘ線センサの一部画素を間引きして先行して送信することで、縮小画像を高速に操作者に表示し、撮影の成否判定や画像処理パラメータの決定に使用するという方法が提案されている（例えば、特許参考文献１参照）。
【特許文献１】特開２００３−３２５４９４号公報
【発明の開示】
【発明が解決しようとする課題】
【０００７】
前述のように縮小画像を高速に転送する場合、その目的が撮影の成否判断であるので、画像をユーザに提示する必要がある。ところが画像が表示されても次の操作ができないと、操作者にとってかえってストレスを感じさせることになる。
【０００８】
本発明は前記事情に鑑み、画像表示中にバックグラウンドで実行する全画像の転送状態を表示し、かつその間にユーザの操作を受け付けて予約するＸ線撮影システムを提供することを目的とする。
【課題を解決するための手段】
【０００９】
上記目的を達成するために、請求項１に記載のデジタルＸ線撮影画像補正システムは、
撮像した第１のＸ線撮影画像と、該第１のＸ線撮影画像から演算した第２のＸ線撮影画像とを記憶する手段と、
第２のＸ線撮影画像を第１のＸ線撮影画像に先行して転送する転送手段と、該第２のＸ線撮影画像の表示手段を具備し、第１のＸ線撮影画像を転送しているときにバックグラウンドで転送していることを示す進行状態表示手段と、次の操作を受け付ける操作予約手段とを備えるように構成する。
【００１０】
請求項２に記載のデジタルＸ線撮影画像補正システムは、請求項１に記載の構成に加え、
前記第１のＸ線撮影画像転送中に、次操作を受け付ける手段で操作禁止状態を検知する手段を備え、該状態時に進行状態を拡大表示し、操作を禁止する手段を備える。
【００１１】
請求項３に記載のデジタルＸ線撮影画像補正システムは、請求項１に記載の構成に加え、
第１のＸ線撮影画像転送中の基準時間を記憶する記憶手段を備え、該転送時間を元に次回の転送予測時間を決定するようにする。
【００１２】
上記目的を達成するために、請求項４に記載のＸ線画像撮影装置の制御方法は、
撮像した第１のＸ線撮影画像と、該第１のＸ線撮影画像から演算した第２のＸ線撮影画像とを記憶する工程と、
第２のＸ線撮影画像を第１のＸ線撮影画像に先行して転送する工程と、該第２のＸ線撮影画像を表示する工程とを備え、第１のＸ線撮影画像を転送中にバックグラウンドで転送していることを表示する工程と、次の操作を予約する工程とを更に備える。
【００１３】
請求項５に記載のデジタルＸ線画像撮影装置の制御方法は、請求項４に記載の構成に加え、第１のＸ線撮影画像転送中に、次操作を受け付ける手段で操作禁止状態を検知する手段を備え、該禁止状態時に進行状態を拡大表示し、操作を禁止するようにする。
【００１４】
上記目的を達成するために、請求項６に記載のコンピュータによってＸ線撮影制御するプログラムは、操作者に撮像させた第１のＸ線撮影画像と、該第１のＸ線撮影画像から演算した第２のＸ線撮影画像において、第２のＸ線撮影画像を第１のＸ線撮影画像に先行して転送させる手順を備え、
第１のＸ線撮影画像を転送中にバックグラウンドで転送していることを表示する手順と、次の操作を予約する手順とを更にコンピュータに実行させるようにする。
【００１５】
請求項７に記載のデジタルＸ線画像撮影装置の制御方法は、請求項６に記載の構成に加え、前記第１のＸ線撮影画像転送中に、次操作を受け付ける手段で操作禁止状態を検知する手順と、該禁止状態時に進行状態を拡大表示させる手順と、操作を禁止させる手順とを備え、コンピュータに実行させるようにする。
【発明の効果】
【００１６】
以上説明したように本発明のＸ線画像撮影システムは、撮影した画像の間引きデータを先行して転送し、表示用画像として補正処理するので、実用的な速度でＸ線撮影画像の判定を行うシステムを提供できる。さらに操作予約手段を備えることで、画像表示中に画像処理パラメータを変更することや、次の撮影操作を予約する等のＸ線撮影システムを実現できる。
【発明を実施するための最良の形態】
【００１７】
図１は、本発明の実施形態に係る、Ｘ線画像撮影装置のシステム構成例を示すブロック図である。医療用デジタルＸ線撮影装置４、蛍光体および大画面光電変換装置を備えたＦＰＤ１、ＦＰＤ１の電源およびＸ線発生装置２６との曝射の同期を行うＸ線制御インターフェース（以下Ｉ／Ｆと略す）３、ＣＰＵ１０、ＲＡＭ６、撮影画像を蓄えるハードディスク１２、ディスクＩ／Ｆ１３、Ｘ線撮影装置の操作者とのユーザＩ／Ｆ１６、外部装置との通信用ＬＡＮ  Ｉ／Ｆ１５で構成される。
【００１８】
ＦＰＤ１とＸ線Ｉ／Ｆ３とは、電源、Ｘ線制御信号線と、画像転送および制御信号用のデータ線２を介して接続されている。前記データ線として、本実施例では例えばＥｔｈｅｒｎｅｔ（登録商標）のような汎用の技術を採用している。１０は、Ｘ線撮影装置４において本発明に係る制御プログラムを実行するホストＣＰＵで、本実施例ではＣＰＵはＰｅｎｔｉｕｍ（登録商標）、ＯＳとしてＷｉｎｄｏｗｓ（登録商標）を使用する。制御プログラム７は、ＯＳを介してＣＰＵ１０がハードディスク１２から読み込み、ＲＡＭ６上で動作させる。ＲＡＭ８はＲＡＭ６上に確保した撮影画像を一時格納するためのＲＡＭであり、ＲＡＭ９はＲＡＭ６上に確保した補正データを格納するためのＲＡＭである。１２は、ホストＣＰＵ１０で動作させる本発明のプログラムを格納するハードディスクであり、撮影に必要となる補正データや、撮影済み画像を一時的に蓄える役割も兼ねる。１４はＸ線撮影装置４の内部バス、１５はＬＡＮ  Ｉ／Ｆで撮影オーダを外部のオーダリング装置２２から受信し、撮影済みの画像を診断に供するため、外部機器であるＰＡＣＳ２１やプリンタ２３に送信するのに使用する。１９は、Ｘ線Ｉ／Ｆ３とＬＡＮ  Ｉ／Ｆ１１を接続するＬＡＮケーブルである。１６はユーザＩ／Ｆ部で、表示用ディスプレイ装置１７、およびキーボード、マウス等の入力機器１８でＸ線撮影装置の操作者である放射線技師とのインターフェースとなる。もちろん、表示および入力部の１７、１８はタッチパネル装置でも代替可能である。
【００１９】
また、本実施例ではＬＡＮ  Ｉ／Ｆ１１は、院内ＬＡＮのトラフィックに影響されないために、ＬＡＮ  Ｉ／Ｆ１５と便宜的に分割しているが、ひとつのＬＡＮ  Ｉ／Ｆでも兼用可能である。
【００２０】
図２は、  Ｘ線撮影装置４における、ユーザＩ／Ｆである表示装置１７の画面構成例である。３４は、オーダリング装置２２あるいはキーボード１８から入力された被験者情報を表示する領域である。３１は、撮影する部位情報をプリセットした撮影パラメータセットを指示するボタンを配置する領域である。３３は、撮影オーダをボタンとして表示した例である。３２は、入力されたボタンにプリセットされた撮影条件を表示する領域である。３５は、Ｘ線撮影装置４の状態を示す表示領域である。また３６は、撮影完了を入力するボタンを配置する領域である。
【００２１】
実際の使用方法を、図１〜３を用いて説明する。まず、操作者は被験者の撮影に際し、Ｘ線撮影装置４の表示端末１７上で、オーダリング装置２２に入力済みの被験者情報を選択し、撮影する被験者の情報、例えば被験者名、生年月日、性別等をプログラムに入力する。
【００２２】
続いて、撮影する画像の画像処理条件を決定するために、操作者に胸部の撮影オブジェクトを表すボタンをボタン登録トレイ３１から選択させる。この時、プログラムによって胸部正面の撮影条件をもつボタン３３には胸部用の撮影条件、画像処理条件、補正データ等が関連付けてあり、ハードディスク１２上のデータベースからＲＡＭ９に取り込む。ＣＰＵ１０は、現在のＦＰＤの構成を補正する条件を補正データ格納メモリであるハードディスク１２からサーチする。ハードディスク１２には、ＦＰＤのＩＤ情報と補正データが格納してあり、サーチにヒットするゲイン補正データと欠陥画素データを読み取り、ＲＡＭ９にロードする。
【００２３】
以上の準備の後、操作者である技師は被験者を整位して、Ｘ線発生装置２６の曝射スイッチ２５を押す。Ｘ線発生装置２６と、Ｘ線撮影装置４とは、Ｘ線Ｉ／Ｆ３を介してＸ線曝射を同期し、Ｘ線管球２４から出力されたＸ線は、被験者を通過してＸ線ＦＰＤ１に入射する。この際入射したＸ線には、被験者の内部情報が含まれており、グリッドを通して散乱Ｘ線を遮断した後、蛍光体でＸ線の強度に比例した可視光に変換され、光電変換装置によってその可視光に比例した電荷に蓄積される。そして、蓄積した電荷をＡ／Ｄ変換によってデジタル化し、Ｘ線Ｉ／Ｆ３からＬＡＮケーブル１９を経由してＸ線撮影装置４内部のＬＡＮＩ／Ｆ１１を介してＲＡＭ８に転送し格納する。前記撮影画像は、ＣＰＵ１０でプログラムによる画像補正処理を行った後、表示装置１７に確認用画像として表示する。
【００２４】
図３は、Ｘ線撮影装置のＣＰＵ１０が制御プログラム７を実行し、ユーザＩ／Ｆ部の画面を変化させた例である。４０は、画像読取制御部３から転送した画像データである。前記確認用の表示画像データは、実際にＦＰＤ１で撮影する全画像の２６８８ｘ２６８８画素に対して、３３６ｘ３３６画素程度で十分である。従来、専用の高速Ｉ／Ｆを使用した場合、約１秒で全画像を転送した後で補正後の画像を縮小し、表示画像として使用していた。しかしながら本発明のＸ線ＦＰＤ１では回路規模縮小とコストダウンを目的とし、ＦＰＤ１から汎用のＩ／Ｆ、例えばＥｔｈｅｒｎｅｔ（登録商標）  Ｉ／Ｆを介して撮影データをＲＡＭ８に転送するように構成したので、全画像転送に約８秒かかり、従来機のように全画像転送終了を待ってから縮小画像を表示すると、操作者にとって大幅に性能が劣るように感じられる。
【００２５】
そこで、撮影画像に対する縮小画像をＦＰＤからＣＰＵ１０へ先に送信し、該受信した縮小画像を補正して表示用画像とする。ユーザが該縮小画像を用いて画像確認をしている間に、バックグラウンド処理として全画像を転送し、検査データに保存するように構成する。
【００２６】
４２には、濃度調整パラメータの例を示す。４０に表示される画像の自動濃度調整を操作者が変更しようと考えた場合、操作者は画像処理パラメータ、例えば４２を調節することで撮影画像の濃度を変更できる。操作者は図３に示す画面で撮影済み画像の確認を終えると、次の撮影を行うために、画面上の「次撮影」ボタン４３を押して、図２に示す画面へ戻る。ＣＰＵ１０が実行する制御プログラム７は、ユーザＩ／Ｆ部１６を介して操作者に、オーダされた次の撮影部位を選択させ、撮影オーダすべてが完了するまで、操作者に前述した撮影フローを繰り返し実行させる。
【００２７】
撮影オーダがすべて完了すると次の撮影が存在しないので、ＣＰＵ１０は４３に示すボタンを「検査終了」に変化させ、操作者がボタン４３を押す事でその被験者の検査を終了させる。
【００２８】
検査が終了すると、制御プログラム７はハードディスク１２に記憶した撮影条件、撮影実施情報を、オーダリング装置２２へ送信する。制御プログラム７は、予め決められた通信プロトコルに従い、オーダリング装置２２へ検査の撮影が終了したことを伝える。この際、撮影が行われた撮影条件と、照射線量等の撮影実施情報を伝える。
【００２９】
また撮影済み画像は、前述の撮影条件や撮影実施情報を付帯情報とした画像データをＤＩＣＯＭと呼ばれる医療用の標準通信プロトコルに従って、例えば画像表示装置や医療用のプリンタに対して出力し、診断に使用される。
【００３０】
図４に、ＦＰＤ１で撮影した画像データの加工工程図を示す。中の四角で表しているのはハードウェア、あるいはソフトウェアで構成された処理手段で、丸はデータの流れを表している。
【００３１】
ＣＰＵ１０はＦＰＤ１に対応する構成情報７０、例えばシリアルナンバー等を用いて、補正データ検索手段６１でＸ線撮影装置の記憶装置から補正データ７２を検索する。ここで述べる補正データ７２とは、例えばＸ線センサのピクセル毎のゲインを補正するためのデータや、Ｘ線センサの欠陥画素を補正するデータ等である。ＣＰＵは補正データ７２の検索とともに表示用補正データ８０を読み出し、あるいはＣＰＵ１０が実行する演算手段６６により表示用補正データ８０を取得する。補正データ７２は、被験者の撮影前に、Ｘ線撮影装置のキャリブレーション工程で予め取得しておくデータである。
【００３２】
Ｘ線撮影装置で曝射を行うと、ＣＰＵ１０はＦＰＤ１で撮影した画像７１と、補正データ７２を補正手段６２で画像処理を行い、補正済み画像７３を作成する。前述した様に汎用Ｉ／Ｆでは転送時間がかかるため、本発明を実行するＣＰＵ１０は、撮影画像７１に対する間引き画像８１を、表示用画像処理手段６３で処理して補正済みの表示画像８３を作成し、画像確認用表示装置１７に表示する。操作者は表示装置上の画像を見て、撮影の失敗がなかったかどうか、画像処理パラメータに問題がないかどうかを調べる。
【００３３】
ユーザが前記の画像確認を実行している間、ＣＰＵ１０はバックグラウンドで全画像７１を転送する。この状態をユーザに表示するため、図３の４４に示すように進行状況を表示させる。全画像転送が完了すると、補正手段６２で補正データ７２を用いて補正済み画像７３を作成する。続いて画像処理手段６４で、補正済み画像７３を処理し診断画像７４を作成する。その結果、画像出力手段６５を用いてＬＡＮ経由で外部の装置、診断画像データ７４を外部装置へ出力する。
【００３４】
図５に、ＣＰＵ１０が実行する予約手段を実行する判断を示す。５０は、ＦＰＤ１からＸ線撮影装置４に画像を転送するタイムチャートであり、５１は縮小画像を転送するフェーズ、５２は全画像をバックグラウンド転送するフェーズを示す。５３は、前記転送フェーズに応じて操作予約状態に移行するトリガを示し、５１の縮小画像転送後、５４に示すように操作予約状態に入り、この期間は操作者がＸ線撮影装置４のユーザＩ／Ｆから入力する操作を記憶手段に記憶する。５２の全画像転送後、操作予約を解除し、記憶手段に記憶させた操作を実行する。記憶する操作としては、例えばＦＰＤ１に対して通信を必要とする操作や、Ｘ線撮影画像をハードディスク１２に保存するタイミング等で遅延、すなわち操作予約を必要と判断する。記憶させない操作としては、前記画像処理パラメータの変更の様に、縮小画像で完結するものである。
【００３５】
この全撮影画像７１の転送期間５２は、ＦＰＤ１のＣＰＵ負荷を軽減させて７１の転送時間に影響を与えないようにするため、Ｘ線撮影制御装置４からＦＰＤ１に制御コマンドを送信しないように制御する。操作者は画像処理パラメータの変更を即時に確認でき、さらに次の撮影に関する要求も受け付けられ、全画像転送が完了するとともにＦＰＤ１への制御コマンドを自動的に発行できるので、ストレスなく操作が可能になる。
【００３６】
ところで、前記の転送時間はＥｔｈｅｒｎｅｔ（登録商標）を採用しているため、特にＬＡＮ  Ｉ／Ｆ１１と１５をひとつにした場合、外部装置の通信トラフィックに影響されて、転送時間が安定しない場合がある。例えば、約７秒で転送できるときや、１０秒以上の転送時間が掛かることもあるので、進行状況を示すための基準時間の予測が困難である。そこで本実施例では、初回のみ１０秒固定とし、以降は前回の撮影時に要した転送時間を記憶し、基準時間とするようにしている。
【００３７】
図６に、操作画面の禁止状態の例を示す。全画像転送中に、ユーザが画像処理パラメータを変更することは縮小画像８３を使用して画像処理を実行し、撮影装置の画面上４０に反映できるが、例えば検査終了ボタン５６を指示すると、全画像が揃っていないので操作を実行し、次の検査を開始することができない。そこで５８に示すように、画像転送の進行状態及びメッセージを拡大表示し、転送が完了するまで、次の操作を待たせるようにする。
【００３８】
次に、被験者の撮影時に縮小画像を先行して送信し、画像の転送状態により操作予約を実行させるステップを図７のフローチャートを用いて説明する。まず操作者が、Ｘ線撮影装置のＣＰＵ１０が実行する制御プログラム７によって画面上に描画した撮影方法のボタンを押し、そのボタンに関連付けて記憶している撮影条件を使用してＸ線撮影を行うと、Ｘ線撮影終了をＣＰＵ１０が検知してステップＳ２０１で間引き画像をＦＰＤ１に要求し、間引き画像転送を実行し、ステップＳ２０２で間引き画像の受信を完了する。続いてステップＳ２０３で間引き画像に対応する補正データを用いて、前記間引き画像を補正処理する。次にステップＳ２０４に進み、縮小画像において画像解析を実行し、ステップＳ２０５で画像処理パラメータを決定する。以上の処理後、ステップＳ２０６で表示装置上に縮小画像を表示し、Ｘ線撮影装置の操作者に提示する。本実施例では、ＦＰＤ１の回路規模を小さくするため、間引き転送するように説明したが、ＦＰＤ側で縮小処理を実施することや補正処理を実行するように構成することも可能である。
【００３９】
加えてＸ線撮影装置のＣＰＵが実行する制御プログラムは、ステップＳ２０２で間引き画像の受信を完了し、前述の縮小補正処理を実行すると同時に、全画像データを取得するためステップＳ２１２に進む。ステップＳ２１２ではＣＰＵ１０が操作予約を開始するイベントを発生させ、ＣＰＵ１０が実行する別プログラムに操作予約の開始を通知する。次にステップＳ２１３で全画像データをＦＰＤ１に送信要求し、全画像転送を実行し、全画像の受信完了を検知すると、続いてステップＳ２１４でＦＰＤ１の補正処理を実行する。ステップＳ２１５において、ステップＳ２０５で決定した画像処理パラメータとともに画像データを保存し、ステップＳ２１６で操作予約解除のイベントを発生させるようにし、画像転送プログラムを終了する。
【００４０】
前述した操作予約プログラムの手順について図８で説明する。ステップＳ２１２で操作予約のイベントを発生させると、ステップＳ２２０で前記イベントを受信し、ステップＳ２２２に進む。ステップＳ２２２では、入力された操作が即実行可能な命令か、予約しておくべきか、あるいは禁止状態を表示すべきかを判定し、予約が必要であればＳ２２４に進み記憶手段に記憶させる。ステップＳ２２６で予約終了イベントを受信した場合、前記記憶した操作を実行し、操作予約プログラムを終了する。ステップＳ２２２で予約が必要でないと判断した場合、ステップＳ２２８で操作をすぐに実行する。続いて、ステップＳ２２９で予約終了イベントを受信していると操作予約手順を終了するが、イベントを受信していないとステップＳ２２２まで戻り、操作入力待ちから繰り返すようにし、ユーザの操作を判定しながら実行するか、予約した後に実行するように切り替える。ステップＳ２２２で判定した操作が、例えば検査終了の様に全画像が揃うまで実行できない場合、ステップＳ２３０で禁止状態を操作者に表示し、ステップＳ２２４に進んで予約処理を続行するようにする。
【００４１】
また本発明は、前述した実施形態の機能を実現するソフトウェアのプログラムコードを記録した記録媒体を、システム或いは装置に供給し、そのシステム或いは装置のＣＰＵが記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。この場合、記憶媒体から読み出されたプログラムコード自体が本発明の新規な機能を実現することになり、そのプログラムコードを記憶した記憶媒体は、本発明を構成することになる。
【００４２】
なお、制御プログラム７を供給するための記憶媒体としては、制御プログラムＲＡＭの他に、例えばフロッピー（登録商標）ディスク、ハードディスク、光ディスク、光磁気ディスク、ＣＤ−ＲＯＭ、ＣＤ−Ｒ、磁気テープ、不揮発性のメモリカード、ＥＰＲＯＭ等を用いることができる。
【００４３】
また、コンピュータが読み出したプログラムコードを実行することにより、前述した実施形態の機能が実現されるだけでなく、そのプログラムコードの指示に基づき、コンピュータ上で稼働しているＯＳ等が実際の処理の一部または全部を行い、その処理によって前述した実施形態の機能が実現される場合も含まれることは言うまでもない。
【００４４】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００４５】
なお本発明は、前述した実施形態の機能を実現するソフトウェアのプログラムコードを記録した記憶媒体から、そのプログラムをインターネット等の通信ラインを介して要求者にそのプログラムを配信する場合にも適用可能である。
【図面の簡単な説明】
【００４６】
【図１】本発明に適用される医療用Ｘ線撮影システムの構成を示すブロック図である
【図２】医療用Ｘ線撮影システムの撮像前の画面表示例である
【図３】医療用Ｘ線撮影システムの撮像後の画面表示例である
【図４】医療用Ｘ線撮影システムの画像処理工程図である
【図５】医療用Ｘ線撮影システムの状態を説明するタイムチャート例である
【図６】医療用Ｘ線撮影システムの操作禁止状態を表す画面表示例である
【図７】撮影時に縮小画像と全画像転送の制御手順を示すフローチャートである
【図８】全画像転送中に、操作を予約する制御手順を示すフローチャートである
【符号の説明】
【００４７】
１  ＦＰＤ
２  データ線、制御線
３  Ｘ線制御Ｉ／Ｆ部
４  Ｘ線撮影装置
６  ＲＡＭ
７  制御プログラム
８  画像格納メモリ
９  補正データ格納メモリ
１０  ＣＰＵ
１１  ＬＡＮ  Ｉ／Ｆ
１２  内部記憶装置
１３  Ｄｉｓｋ  Ｉ／Ｆ
１４  内部バス
１５  ＬＡＮ  Ｉ／Ｆ
１６  Ｕｓｅｒ  Ｉ／Ｆ
１７  表示装置
１８  入力装置
１９  ＬＡＮ
２０  ＬＡＮ
２１  ＰＡＣＳ
２２  オーダ装置
２３  医用プリンタ
２４  Ｘ線管球
２５  曝射スイッチ
２６  Ｘ線発生装置
【図１】
2005198801.tif 000003
【図２】
2005198801.tif 000004
【図３】
2005198801.tif 000005
【図４】
2005198801.tif 000006
【図５】
2005198801.tif 000007
【図６】
2005198801.tif 000008
【図７】
2005198801.tif 000009
【図８】
2005198801.tif 000010